(57)【特許請求の範囲】
【請求項１】
室内機と、前記室内機を操作するリモコン装置とを備え、前記リモコン装置は、前記室内機の運転によってかかる電気料金を表示する表示手段を有し、前記リモコン装置で、時間帯別の電気料金の単価の設定と、時間帯によらない電気料金の単価の設定の両方が可能であって、前記リモコン装置は日時情報を有し、前記日時情報が設定されていない場合は、時間帯によらない電気料金の単価の設定のみ可能としたことを特徴とする空気調和機。
【請求項２】
室内機と、前記室内機を操作するリモコン装置とを備え、前記リモコン装置は、前記室内機の運転によってかかる電気料金を表示する表示手段を有し、前記リモコン装置で、時間帯別の電気料金の単価の設定と、時間帯によらない電気料金の単価の設定の両方が可能であって、前記リモコン装置は日時情報を有し、前記日時情報が設定されている場合は、時間帯別の電気料金の単価の設定を可能とし、前記室内機へ時間帯別の電気料金の単価を送信するときに、前記日時情報を合わせて送信することを特徴とする空気調和機。
【請求項３】
前記表示手段に電気料金を表示させる電気料金表示指示手段を備え、前記電気料金の表示形態は複数の表示形態を有するとともに、前記電気料金表示指示手段を操作することによって、前記複数の表示形態の名称が一つずつ順に前記表示手段に表示されて選択し、選択された表示形態の名称の電気料金を、前記表示手段に表示させることを特徴とする請求項１または２に記載の空気調和機。
【請求項４】
前記電気料金表示指示手段で前記複数の表示形態の名称の一つを選択してから所定の確定時間を経過後に、前記表示手段に電気料金を表示させることを特徴とする請求項３に記載の空気調和機。
【請求項５】
前記所定の確定時間を経過前に、再度、前記電気料金表示指示手段を操作すると、前記表示手段に電気料金を表示させることなく、前記表示手段に表示された前記複数の表示形態のうちの一つを表す名称が変更されることを特徴とする請求項４に記載の空気調和機。
【請求項６】
選択された表示形態の電気料金を表示した後は、選択された表示形態の名称とその電気料金とを交互に、前記表示手段に表示することを特徴とする請求項３から５のいずれか１項
に記載の空気調和機。
【請求項７】
選択された表示形態の電気料金を表示し、所定の表示経過時間を経過後は、前記電気料金表示指示手段を操作する前の表示に戻ることを特徴とする請求項３から６のいずれか１項に記載の空気調和機。
【請求項８】
前記複数の表示形態は、少なくとも現在の運転中の電気代、今月の電気代、前月の電気代を含むことを特徴とする請求項３から７のいずれか１項に記載の空気調和機。
【請求項９】
前記室内機の運転停止中は、現在の運転中の電気代に代えて、前回の運転時の電気代を表示させることを特徴とする請求項８に記載の空気調和機。
【請求項１０】
前記室内機が日時情報を有し、前記リモコン装置が日時情報を有していない場合、もしくは前記室内機が日時情報を有さず、前記リモコン装置が日時情報を有している場合は、前記表示手段に現在運転中の電気代のみ表示可能に構成したことを特徴とする請求項８または９に記載の空気調和機。
【発明の詳細な説明】
【技術分野】
【０００１】
本発明は、消費した電気料金をユーザーに知らせる機能を有する空気調和機に関するものである。
【背景技術】
【０００２】
近年、地球環境の維持と改善のため家電商品の消費電力の低減が求められる様になり、ユーザーが空気調和機の消費電力量の目安として電気料金に関して、より詳細な情報を求める風潮が高まっている。
【０００３】
また、近年高まりつつあるユニバーサルデザインにも配慮し、必要な情報がすぐに分かる表示形態が必要となっている。
【０００４】
従来から空気調和機の分野においても、運転に係る電力に対応する電気料金を自動的に算出し、表示する空気調和機が提案されていた（例えば、特許文献１参照）。特許文献１においては、昼間の単位電力料金と深夜の単位電力料金とを入力可能とされ、入力された単位電力料金を元に電気料金を算出し、一度に先月までの累計料金、今月切り累計料金、現在の料金を表示部に一度に表示している。
【先行技術文献】
【特許文献】
【０００５】
【特許文献１】特開２００１−３５５８９１号公報
【発明の概要】
【発明が解決しようとする課題】
【０００６】
しかしながら、特許文献１のような構成では、必ず時間帯別に電気料金を設定しなければならず、昼間電気料金単価と深夜電気料金単価とが同一の場合は、深夜電気料金単価の入力はしないか、もしくは昼間電気料金単価と同一の単価を入力するかをしなければならず、ユーザーにとっては操作が複雑であるという課題を有していた。
【０００７】
本発明は、前記従来の課題を解決するもので、空気調和機の電気料金を取得するための操作性を向上させた空気調和機を提供することを目的とする。
【課題を解決するための手段】
【０００８】
前記従来の課題を解決するために本発明は、室内機と、室内機を操作するリモコン装置とを備え、リモコン装置は、室内機の運転によってかかる電気料金を表示する表示手段を有し、リモコン装置で、時間帯別の電気料金の単価の設定と、時間帯によらない電気料金の単価の設定の両方が可能であって、リモコン装置は日時情報を有し、日時情報が設定されていない場合は、時間帯によらない電気料金の単価の設定のみ可能としたことにより、ユーザーが契約している電気料金体系に基づいて正確に電気料金の算出を行うことができる。
【発明の効果】
【０００９】
本発明は、空気調和機の電気料金を取得するための操作性を向上させた空気調和機を提供することができる。
【図面の簡単な説明】
【００１０】
【図１】本発明の実施の形態１における空気調和機のブロック図
【図２】同実施の形態１における時間帯別単価設定の表示部の遷移図
【図３】同実施の形態１における時間帯別単価設定の表示部の遷移図
【図４】同実施の形態１における時間帯別単価設定に掛かるフローチャート
【図５】同実施の形態１における電気料金表示に掛かるフローチャート
【図６】同実施の形態１における電気料金表示に掛かる表示部の模式図
【図７】同実施の形態１における表示部の模式図
【図８】同実施の形態１における表示部への表示内容図
【図９】他の実施の形態における電気料金単価設定に掛かる表示部の模式図
【発明を実施するための形態】
【００１１】
第１の発明は、室内機と、室内機を操作するリモコン装置とを備え、リモコン装置は、室内機の運転によってかかる電気料金を表示する表示手段を有し、リモコン装置で、時間帯別の電気料金の単価の設定と、時間帯によらない電気料金の単価の設定の両方が可能であってリモコン装置は日時情報を有し、日時情報が設定されていない場合は、時間帯によらない電気料金の単価の設定のみ可能としたことにより、ユーザーが契約している電気料金体系に基づいて正確に電気料金の算出を行うことができ、利便性を向上させることができる。
【００１３】
第２の発明は、室内機と、室内機を操作するリモコン装置とを備え、リモコン装置は、室内機の運転によってかかる電気料金を表示する表示手段を有し、リモコン装置で、時間帯別の電気料金の単価の設定と、時間帯によらない電気料金の単価の設定の両方が可能であってリモコン装置は日時情報を有し、日時情報が設定されている場合は、時間帯別の電気料金の単価の設定を可能とし、室内機へ時間帯別の電気料金の単価を送信するときに、日時情報を合わせて送信することにより、室内機の日時情報と、リモコン装置の日時情報とを簡単にあわせることができる。
【００１４】
第３の発明は、特に第１から第２の発明において、表示手段に室内機の運転に掛かる電気料金を表示させる電気料金表示指示手段を備え、電気料金の表示形態は複数の表示形態を有するとともに、電気料金表示指示手段を操作することによって、複数の表示形態の名称が一つずつ順に表示手段に表示されて選択し、選択された表示形態の名称の電気料金を、表示手段に表示させることによって、簡単な操作で複数の電気料金体系を表示させることができる。
【００１５】
第４の発明は、特に第３の発明において、電気料金表示指示手段で複数の表示形態の名称の一つを選択してから所定の確定時間を経過後に、表示手段に電気料金を表示させることにより、ユーザーの選択時間に余裕を設けることができ、ユーザーが余裕を持って所望の表示形態の名称を選択することができる。
【００１６】
第５の発明は、特に第４の発明において、所定の確定時間を経過前に、再度、電気料金表示指示手段を操作すると、表示手段に電気料金を表示させることなく、表示手段に表示された複数の表示形態のうちの一つを表す名称が変更されることにより、ユーザーが誤って思惑と異なる表示形態の名称を選択した場合であっても、所定の確定時間を経過するまでに再度操作することによって、正確な表示形態の名称を選択することができる。
【００１７】
第６の発明は、特に第３から第５の発明において、選択された表示形態の電気料金を表示した後は、選択された表示形態の名称とその電気料金とを交互に、表示手段に表示する
ことにより、ユーザーの理解を高めることができる。
【００１８】
第７の発明は、特に第３から第６の発明において、選択された表示形態の電気料金を表示し、所定の表示経過時間を経過後は、電気料金表示指示手段を操作する前の表示に戻ることにより、次に空気調和機へ運転指示する際に、ユーザーが戸惑わないようにすることができる。
【００１９】
第８の発明は、特に第３から第７の発明において、複数の表示形態は、少なくとも現在の運転中の電気代、今月の電気代、前月の電気代を含むことにより、ユーザーは複数の情報から選択することができる。
【００２０】
第９の発明は、特に第３から第８の発明において、室内機の運転停止中は、現在の運転中の電気代に代えて、前回の運転時の電気代を表示させることにより、運転中と運転停止中とを切り分けることによって、ユーザーが感覚的に理解することができる。
【００２１】
第１０の発明は、特に第８または第９の発明において、室内機が日時情報を有し、リモコン装置が日時情報を有していない場合、もしくは室内機が日時情報を有さず、リモコン装置が日時情報を有している場合は、表示手段に現在運転中の電気代のみ表示可能に構成したことにより、使用性を向上させることができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における空気調和機の室内機およびリモコン装置を示すブロック図である。なお、本実施の形態における空気調和機は、室内に設置される室内機１と、室外に設置される室外機（図示せず）とを冷媒配管によって接続して構成される。
【００２４】
まず、室内機１は、リモコン装置２からのデータを受信、またリモコン装置２へのデータを送信する室内側送受信部１０と、日時データを保存し計時する本体計時部１１と、空気調和機の消費電力を計測する電力計測部１３と、室内機１を制御する制御部１２と、電気料金単価や設定等を記憶する記憶部１４を備える。
【００２５】
次に、リモコン装置２は、室内機１へデータを送信、また室内機１からのデータを受信するリモコン側送受信部２０と、各種運転情報を表示する表示手段である表示部２１と、時間帯毎の電気料金単価を表示する電気料金単価設定部２２と、表示部２１へ電気料金の表示を指示するための電気料金表示指示手段である電気料金表示指示部２３と、設定や運転指示を行う操作部２４を備える。
【００２６】
なお、室内機１およびリモコン装置２の構成は、図１に記載の構成部のみに限定されるものではない。また、電気料金単価設定部２２や電気料金表示指示部２３は操作部２４の一部である。
【００２７】
まず、ユーザーは、リモコン装置２へ電池を入れた後、初期設定を行う。このとき、ユーザーが設定する情報は、日付情報（年・月・日）、時刻情報である。そして、ユーザーがリモコン装置２の日時情報を設定した後に、日付情報および時刻情報を有する日時情報を室内機１へ送信する。一方、室内機１では日時情報を室内側送受信部１０で受信し、本体計時部１１に記憶する。これによって、リモコン装置２と室内機１との時刻情報の設定が完了する。
【００２８】
次に、時間帯別電気料金単価の設定について説明する。近年は、時間帯によって電気料金の単価が異なる電気料金体系もある。そのため、本実施の形態における空気調和機に置いては、時間帯によって電気料金の単価が異なる電気料金体系にも可能な限り対応できるように、本実施の形態では電気料金単価を設定できるようにしている。
【００２９】
まず、ユーザーはリモコン装置２の操作部２４を操作することによって、時間帯別単価設定を行うことができるように表示部２１を設定画面にする。例えば、図２のステップ２
１に示すように、表示部２１に「時間帯別単価設定」という表示を行わせる。なお、表示はこれに限定されることはなく、例えば「オール電化設定」のような表示であっても問題は無い。
【００３０】
次に、ステップ２２では、時間帯別単価設定を行うかどうかを決定する。時間帯別単価設定を行わない場合には「なし」を選択し、時間帯別単価設定を行う場合には「あり」を選択する。
【００３１】
まず、時間帯別の電気料金単価設定を「なし」と選択した場合の説明を行う。図２は時間帯別の電気料金単価設定が「なし」の場合の設定方法について説明した図である。
【００３２】
ステップ２２で「なし」を選択すると、ステップ２３では時間に関わらない１ｋｗｈ毎の単価設定を行う。１ｋｗｈ毎の電気料金の単価は、１円から５０円まで選択可能となっており、ステップ２４では、ユーザーが契約している電力会社の電気料金体系を元に、ユーザー自身が電気料金の単価を設定することができる。
【００３３】
この場合、ユーザー自身が大よその平均的な電気料金単価を入力する必要があるが、例えば、少し高めに設定しておくことで実際に空気調和機を運転した際には少し高めの電気料金表示がされるために、ユーザー自身の省エネ意識を啓蒙させることができ、ユーザー自身に電力使用を控えさせることができる。
【００３４】
なお、ステップ２４では、１ｋｗｈ毎の電気料金の単価を順送りで選択することができ、上限金額すなわち５０円に到達すると、下限金額すなわち１円に戻って選択可能となっている。また、本実施の形態では１円から５０円の間で設定可能としたが、これに限定されるものではない。
【００３５】
また、ユーザーによっては電気料金単価設定を設定するのが煩わしく感じる場合もあるので、予め電気料金単価設定の初期値（例えば、２２円）を設定しておくことで、初期値に基づいた電気料金の表示を行うことができる。なお、この初期値はメーカーにおいて予め設定しておくものであるが、２２円に限定されるものではなく、例えば、電力会社毎の平均的な単価や一番契約者の多い単価を入力しておくことが考えられる。
【００３６】
次に、時間帯別の電気料金単価設定を「あり」と選択した場合の説明を行う。図３は時間帯別の電気料金単価設定が「ある」場合の設定方法について説明した図である。本実施の形態では、「朝夜単価」「昼単価」「深夜単価」の３種類の設定ができるようにしている。
【００３７】
まず、図２のステップ２２で「あり」を選択すると、ステップ３３で「朝夜単価」を設定するようにし、ステップ３４にて１円から５０円の幅で選択可能に構成している。「朝夜単価」を設定すると、続けてステップ３５からステップ３８で「昼単価」「深夜単価」を設定することができる。いずれも１円から５０円の幅で選択可能となっている。
【００３８】
また、本実施の形態では「朝夜単価」の設定時にまず表示される初期単価は「２２円」となっており、この単価からユーザーが上下させることによって最終の単価を設定する。また「昼単価」の初期単価は「３３円」、「深夜単価」の初期単価は「９円」としており、設定時には、これらの初期単価がまず表示される。
【００３９】
一般的に電力会社によって電気料金体系は異なっているため、それぞれの時間帯による単価も電力会社毎に異なるが、初期単価には各電力会社の単価の平均値や、それに近しい単価を時間帯別毎に予め設定しておき、「朝夜単価（７時〜１０時、１７時〜２３時）」
「昼単価（１０時〜１７時）」「深夜単価（２３時〜翌７時）」の複数の時間帯の単価の設定時に、まず予め設定されている初期単価を表示させることによって、ユーザーは初期単価から上下に単価を設定するだけなので楽に設定することができる。
【００４０】
なお、本実施の形態では「朝夜単価」「昼単価」「深夜単価」の３種類から選択可能に構成したが、これに限定されることはなく、例えば、「朝単価」「昼単価」「夜単価」「深夜単価」の４種類としてもよいし、その他のような場合分けでもよい。
【００４１】
以上のように構成することによって、ユーザーの電力会社との契約に基づいた電気料金単価を時間帯別で設定することができ、より正確な電気料金を得ることができる。
【００４２】
以下、電気料金単価設定についてフローチャートを用いて説明する。図４は、電気料金単価設定に掛かるフローチャートである。
【００４３】
まず、ステップ４１において操作部２４を操作することによって、時間帯別単価設定が設定可能な状態にする。そして、ステップ４２において、時間帯別単価設定が「あり」または「なし」を選択する。
【００４４】
ステップ４３において、時間帯別単価設定に「あり」が選択された場合はステップ４４へ進み、時間帯別単価設定に「なし」が選択された場合はステップ４４−５へ進む。ステップ４４では、リモコン装置２に時刻情報が設定されているかどうかを確認し、時刻情報が設定されている場合はステップ４４−１へ進み、時刻情報が設定されていない場合はステップ４４−４へ進む。
【００４５】
ステップ４４−１において、時間帯別単価設定「あり」という情報と、時刻情報とを室内機１へ送信し、室内機１の設定をリモコン装置２と合わせる。これによって、時間帯別単価設定の内容と時刻情報とが室内機１に設定される。
【００４６】
ステップ４４−２において、時間帯ごとの電気料金の単価を設定し、ステップ４４−３において室内機１へ時間帯ごとの電気料金の単価を送信する。これによって、時間帯ごとの電気料金の単価が室内機１に設定される。そしてステップ４５で設定完了となる。
【００４７】
また、ステップ４４−４へ進んだ場合は、リモコン装置２には日時設定がされていないので、日時設定をするように警告する。例えば、日時設定をするように啓蒙するメッセージを表示したり、日時部分を点滅させたりしてユーザーに警告することが考えられる。
【００４８】
また、ステップ４４−５へ進んだ場合は、時間帯別単価設定「なし」という情報を室内機１へ送信し、室内機１に設定され、ステップ４４−６へ進む。
【００４９】
ステップ４４−６では時間帯によらない電気料金の単価を設定し、ステップ４４−７において室内機１へ電気料金の単価を送信する。これによって、時間帯によらない電気料金の単価が室内機１に設定される。
【００５０】
次に、電気料金表示について説明する。図５は、電気料金表示に掛かるフローチャート、図６は、電気料金表示に掛かる表示部の模式図である。なお、本実施の形態の電気料金は複数の表示形態を有しており、本実施の形態では運転中の電気料金、前回運転時の電気料金、今月の電気料金、前月の電気料金を有するが、これに限定されるものではない。
【００５１】
まず、運転中もしくは運転停止中にリモコンの通常表示画面（図６の状態１）においてリモコン装置２に設けた操作部２４の一部を構成する電気料金表示指示部２３である電気
代スイッチ（以下、電気代ＳＷ）を押下する（ステップ５１）。
【００５２】
そして電気代ＳＷを押下すると、ステップ５２において表示部２１に複数の表示形態の一つである表示形態１（例えば、「電気代」）を表示する（図６の状態２）。これは運転中であれば現在の運転に掛かる電気料金を意味し、運転停止中であれば前回の運転に掛かる電気料金を意味する。
【００５３】
そしてステップ５２−１において、電気代ＳＷの押下状態が解除されたかどうかを判断する。電気代ＳＷの押下状態が解除された場合にはステップ５２−２へ進み、解除されていない場合、すなわちユーザーが電気代ＳＷを長押ししていると判断された場合はステップ５３へ進む。
【００５４】
ステップ５２−２では、再度、電気代ＳＷが押下されたかどうかを判断している。これは電気代ＳＷを長押しして選択する場合と、電気代ＳＷを複数回押して選択する場合とがあるため、いずれの作法であっても所望の電気代を表示できるように構成している。ステップ５２−２で、電気代ＳＷが押下された場合には、ステップ５３へ進み、電気代ＳＷが押下されていない場合はステップ５２−３へ進む。
【００５５】
ステップ５２−３では、電気代ＳＷの押下状態が解除された状態を所定の確定時間（例えば、１秒）継続されたかどうかを判断する。ステップ５２−３において所定の確定時間継続されていないと判断された場合は、ステップ５２−２へ戻り、所定の確定時間継続された場合は、ステップ５２−４へ進む。このように、ユーザーが何を表示させようかと考えながら電気代ＳＷを押下している場合であっても、所定の確定時間を設けることである程度余裕を設けることができ、ユーザーが望んでいない電気料金の確定を防止することができる。
【００５６】
ステップ５２−４では、表示形態１の選択を確定し、ステップ５２−５へ進む。表示形態１の選択を確定すると、リモコン装置２から室内機１へ表示形態１が選択されたという情報を送信し、室内機１の制御部１２において、電力計測部１３で計測した消費電力と、記憶部に記憶されている電気料金の単価と、本体計時部１１で計測している時間とから電気料金を算出し、室内機１からリモコン装置２へ電気料金の情報を送信する。
【００５７】
このとき時間帯別単価設定がされている場合は、時間帯ごとの消費電力と、時間帯ごとの電気料金の単価と、時間帯ごとの運転時間から電気料金が算出され、時間帯別単価設定がされていない場合は、設定している電気料金の単価と、消費電力と、運転時間から電気料金が算出される。
【００５８】
ステップ５２−５では、表示形態１の名称（ここでは「電気代」）を表示させ、所定の名称表示時間（例えば、２秒）を表示し、ステップ５２−６へ進む。ステップ５２−６では、表示形態１に該当する電気料金（例えば、３５円）を所定の金額表示時間（例えば、２秒）を表示し、ステップ５２−７へ進む。
【００５９】
ステップ５２−７では所定の表示経過時間（例えば、１２秒）が経過したかどうかを判断し、経過していない場合は、ステップ５２−５へ戻り、経過した場合はステップ５５へ進み、電気料金の表示を終了する（図６の状態１）。
【００６０】
このように、所定の表示経過時間の間は、表示形態１の名称と、表示形態１の名称に該当する電気料金とを交互に表示させる（図６の状態５）ことで、よりユーザーの理解を深めることができる。なお、上述の確定時間、名称表示時間、金額表示時間、表示経過時間の値は、本実施の形態に限定されるものではない。
【００６１】
次に、ステップ５３へ進むと、複数の表示形態の一つである表示形態２（例えば、「今月電気代」）を表示部２１に表示させる（図６の状態３）。ステップ５３−１〜ステップ５３−７は、ステップ５２−１〜ステップ５２−７と同様の動きをする。なお、今月電気代とは、月の初めから現在までの積算消費電力に掛かる電気料金である。
【００６２】
次に、ステップ５４へ進むと、複数の表示形態の一つである表示形態３（例えば、「前月電気代」）を表示部２１に表示させる（図６の状態４）。ステップ５５１〜ステップ５４−７は、ステップ５２−１〜ステップ５２−７と同様の動きをする。なお、前月電気代とは、前月の１日〜最終日までの積算消費電力に掛かる電気料金である。
【００６３】
そして、ステップ５５１から続けて電気代ＳＷの押下状態を継続させた場合、もしくはステップ５５２で電気代ＳＷを再度押下した場合は、表示部２１に表示されている電気料金の表示形態は、最初の表示形態１に戻り、以降、順番に表示される。
【００６４】
このように、ユーザーが電気料金を表示させる時は、表示部２１へ表示させたい電気料金の表示形態の名称を選択し、その後、確定することによって、選択した表示形態に該当する電気料金を表示部２１へ表示させることができる。
【００６５】
また、本実施の形態では、表示形態１（「電気代」）を選択した場合において、運転中に選択した場合は、その運転中の電気料金とし、運転停止時に選択した場合は、前回運転時の電気料金としたが、例えば、図７に示すように、運転時に表示形態１を選択した場合には状態Ａのように表示形態１ａ（例えば、「現在電気代」）を表示し、運転停止時表示形態１を選択した場合には状態Ｂのように表示形態１ｂ（例えば、「前回電気代」）を表示することも考えられる。
【００６６】
すなわち、空気調和機の運転状態に応じて表示形態の名称を変更することで、ユーザーの理解をより深めることができる。
【００６７】
なお、本実施の形態では、現在もしくは前回の電気代、今月電気代、前月電気代の順に表示するようにしたが、もちろんその順番は入れ替え可能であり、また表示する項目はこれに限定されるものではなく、例えば、ＣＯ２排出量のような項目をいれることも可能である。この場合、消費電力ごとの標準的なＣＯ２排出量に基づいて、ＣＯ２排出量を算出することは可能である。
【００６８】
次に、室内機１の設定とリモコン装置２の設定が異なる場合の表示について説明する。上述したように、室内機１とリモコン装置２の日時情報を設定しているが、何らかの理由で室内機１とリモコン装置２の日時情報が設定されていない場合がある。このような状態で電気代ＳＷを押下した場合、正しい料金が表示されない可能性がある。
【００６９】
そこで本実施の形態では、リモコン装置２から室内機１へ電気料金表示のリクエストを送信した後、室内機１とリモコン装置２とで設定が同じかどうかを確認し、設定が同じ場合のみリモコン装置２の表示部２１に電気料金を表示している。図８はそれぞれの設定内容ごとの表示内容についてまとめた図である。
【００７０】
まず、今回の電気料金または前回の電気料金の場合、室内機１とリモコン装置２の時刻情報が「あり」で、かつ、時間帯別単価設定の内容が同一である場合は、通常通りの料金表示が可能である。
【００７１】
さらに、今回の電気料金または前回の電気料金の場合、日時によらず一回の運転に掛か
る消費電力のため日時情報が不要であり、室内機１において運転開始からの経過時間を計測している。
【００７２】
そのため、室内機１とリモコン装置２の時刻情報が相違している場合であっても、電気代ＳＷを押下することによって、室内機１およびリモコン装置２の時間帯別単価設定がともに「なし」の場合のみ電気料金を表示するようにしている。これによって、ユーザーの使用性を向上させている。
【００７３】
一方、今月または前月の電気料金の場合は、日時情報が必須である。そのため、室内機１およびリモコン装置２の設定が同じ場合のみ、電気料金を表示するようにし、それ以外は電気料金を表示していない。このようにすることによって、ユーザーに誤解を与えないようにすることができる。
【００７４】
なお、室内機１で電気料金を算出しているため、室内機１に日時情報がある場合は、電気料金の算出が可能である。しかしながら、リモコン装置２に日時情報が設定されていないのに、リモコン装置２に電気料金を表示させてしまうと、ユーザーを困惑させてしまう可能性がある。そのため、本実施の形態では、室内機１とリモコン装置２の設定が同じ時と、時間帯別単価設定がともに「なし」で今回または前回の電気料金表示の時に限り、リモコン装置２に電気料金を表示させるようにして、ユーザーの使用性を向上させている。
【００７５】
また、本実施の形態では、「朝夜単価（７時〜１０時、１７時〜２３時）」「昼単価（１０時〜１７時）」「深夜単価（２３時〜翌７時）」の電気料金の単価を設定可能に構成しているが、このような構成では予め設定されている時間帯のみしか設定できない。
【００７６】
そこで、他の実施の形態として、複数の予め設定されている時間帯の電気料金の単価を設定する以外に、ユーザーの好みの時間帯に区切って電気料金の単価を設定できるように構成してもよい。この場合、ユーザーはリモコン装置２で時間帯の始まりと終わりとを設定し、その時間帯に適用される電気料金の単価を設定することでより自由度の高い電気料金の単価の設定ができる。
【００７７】
また、他の実施の形態として、電力会社の料金体系を設定できるように構成されていても良く、その場合は予めリモコン装置２に電力会社の料金体系が記憶された記憶領域を設けておく。例えば、リモコン装置２に「○○電力○○プラン」「○○電力△△プラン」「△△電力△△プラン」「××電力××プラン」等を設けておき、ユーザーは自身が契約している電力会社のプランを選択するだけで、電気料金の単価設定が可能となる。
【００７８】
図９は、電力会社毎の料金体系を選択するモードを模式的に示した図である。図９に示すように、まず操作部２４を操作することによって電力会社の選択モードとする。図９に示すように、まずユーザーが契約している電力会社を選択し、その後、選択した電力会社が提供している料金体系の名称を選択するようにする。
【００７９】
このように設定可能に構成することによって、さらに正確な電気料金の表示を行うことができる。
【００８０】
以上のように、本実施の形態の発明は、様々な形態で電気料金が提示可能に構成されているとともに、簡単な方法で複数の電気料金から一つを選択することができるため、非常に使用性の高いリモコン装置を実現することができる。
【産業上の利用可能性】
【００８１】
以上のように本発明は、空気調和機を操作するリモコン装置に適用することができる。
【符号の説明】
【００８２】
１  室内機
２  リモコン装置
１０  室内側送受信部
１１  本体計時部
１２  制御部
１３  電力計測部
１４  記憶部
２０  リモコン側送受信部
２１  表示部
２２  電気料金単価設定部
２３  電気料金表示指示部
２４  操作部
【図１】
0005375902.tif 000002
【図２】
0005375902.tif 000003
【図３】
0005375902.tif 000004
【図４】
0005375902.tif 000005
【図５】
0005375902.tif 000006
【図６】
0005375902.tif 000007
【図７】
0005375902.tif 000008
【図８】
0005375902.tif 000009
【図９】
0005375902.tif 000010